(57)【要約】【課題】  優れた位相周波数特性を維持すると共に、スピーカユニットから放射される音響波の波面に乱れが生ずることのないスピーカエンクロージャ、スピーカシステムおよび多チャンネルステレオシステムを提供することを課題とする。【解決手段】  本発明のスピーカエンクロージャは、バッフル板２１の前面に、標準聴取位置Ｐを中心とする仮想円Ｒに倣った断面円弧状のユニット配設面２７を備え、或いはバッフル板２１の前面に、標準聴取位置Ｐを中心とする仮想球（球Ｒ）に倣った部分球面状のユニット配設面２７を備えたものである。【選択図】  図１
2008118166.tif 000002
【特許請求の範囲】
【請求項１】
バッフル板の前面に、標準聴取位置を中心とする仮想円に倣った断面円弧状のユニット配設面を備えたことを特徴とするスピーカエンクロージャ。
【請求項２】
バッフル板の前面に、標準聴取位置を中心とする仮想球に倣った部分球面状のユニット配設面を備えたことを特徴とするスピーカエンクロージャ。
【請求項３】
縦置きであって、縦長のラウンドバッフル形であることを特徴とする請求項１または２に記載のスピーカエンクロージャ。
【請求項４】
少なくとも前記バッフル板の前部は、継ぎ目の無い単板および合板のいずれかで構成されていることを特徴とする請求項１または２に記載のスピーカエンクロージャ。
【請求項５】
前記ユニット配設面は、前記バッフル板の前面を研削して形成されていることを特徴とする請求項１または２に記載のスピーカエンクロージャ。
【請求項６】
請求項１または２に記載のスピーカエンクロージャと、
前記ユニット配設面に取り付けた１以上のスピーカユニットと、を備えたことを特徴とするスピーカシステム。
【請求項７】
帯域の異なる複数のスピーカユニットを備えたことを特徴とする請求項６に記載のスピーカシステム。
【請求項８】
前記ユニット配設面は、前記バッフル板の前面を研削して形成されており、
前記ユニット配設面には、ダクトの開口部およびパッシブラジエタのいずれかが、さらに設けられていることを特徴とする請求項６に記載のスピーカシステム。
【請求項９】
複数のスピーカユニットを備え、
前記スピーカエンクロージャは、前記スピーカユニット毎に独立した複数の分割エンクロージャで構成されていることを特徴とする請求項６に記載のスピーカシステム。
【請求項１０】
請求項６に記載のスピーカシステムの複数個を、前記仮想円または前記仮想球面に前記ユニット配設面が合致するように且つ前記標準聴取位置を囲むように、それぞれ配置したことを特徴とする多チャンネルステレオシステム。
【発明の詳細な説明】
【技術分野】
【０００１】
本発明は、前面にバッフル板を有するスピーカエンクロージャ、これを備えたスピーカシステムおよび多チャンネルステレオシステムに関するものである。
【背景技術】
【０００２】
従来、聴取位置と各スピーカユニットとの距離が等しくなるように、複数個のスピーカユニットをスピーカエンクロージャに組み込んだスピーカシステムが、知られている（例えば、特許文献１参照）。このスピーカエンクロージャでは、高域用スピーカユニットを取り付ける上ユニット取付け板と、中域用スピーカユニットを取り付ける中ユニット取付け板と、低域用スピーカユニットを取り付ける下ユニット取付け板と、をそれぞれ突き合せるように接着して、上向きに反ったバッフル板が構成されている。これにより、聴取位置において、各スピーカユニットからの再生音の到達時間に差が生ずることがなく、位相周波数特性に優れたがスピーカシステムが構成されている。
【特許文献１】実開昭５６−４６３８９号公報
【発明の開示】
【発明が解決しようとする課題】
【０００３】
このように従来のスピーカシステム（スピーカエンクロージャ）では、各ユニット取付け板の突合せ部が入隅形状となるため、各スピーカユニットを音源として半球状に放射された音響波の波面の一部が、この突合せ部で回析し再生音に乱れが生ずる問題があった（図５（ｂ）参照）。また、各ユニット取付け板の突合せ部により、バッフル板自体の剛性が低下し、共振による再生音が乱れる問題があった。
【０００４】
本発明は、優れた位相周波数特性を維持すると共に、スピーカユニットから放射される音響波の波面に乱れが生ずることのないスピーカエンクロージャ、これを備えたスピーカシステムおよび多チャンネルステレオシステムを提供することをその課題としている。
【課題を解決するための手段】
【０００５】
本発明のスピーカエンクロージャは、バッフル板の前面に、標準聴取位置を中心とする仮想円に倣った断面円弧状のユニット配設面を備えたことを特徴とする。
【０００６】
同様に、本発明の他のスピーカエンクロージャは、バッフル板の前面に、標準聴取位置を中心とする仮想球に倣った部分球面状のユニット配設面を備えたことを特徴とする。
【０００７】
この構成によれば、バッフル板のユニット配設面が、標準聴取位置を中心とする仮想円或いは仮想球の球面に倣った形状に形成されているため、２次元曲面或いは３次元曲面となるこのユニット配設面に段差や角度変化が生ずることがなく、これにスピーカユニットを組み込んだ場合、バッフル板による音響波の回析を有効に防止することができる。したがって、スピーカユニットから放射された音響波の波面が乱れることがなく、高品位再生を達成することができる。また、ユニット配設面に複数のスピーカユニットを設けた場合、標準聴取位置において、各スピーカユニットからの再生音の到達時間に差が生ずることがなく、位相周波数特性を向上させることができる。なお、聴取位置は、聴取するユーザの耳の位置であり、スピーカユニットの発音源位置からの距離が２．５〜３．０ｍであって床からの高さが約１．０ｍを標準（標準聴取位置）としている。また、前者の発明におけるユニット配設面は、いわゆる縦置きのスピーカエンクロージャでは縦断面円弧状に、横置きのスピーカエンクロージャでは横断面円弧状に形成することが、好ましい。また、ユニット配設面は、バッフル板の前面の全域であってもよいし、一部の領域であってもよい。
【０００８】
これらの場合、縦置きであって、縦長のラウンドバッフル形であることが、好ましい。
【０００９】
この構成によれば、ラウンドバッフルにおける上面視凸となる曲面と、仮想円或いは仮想球の球面に倣った凹となる曲面の合成により、バッフル板のユニット配設面は、正面（前面）から見てほぼ楕円形となる。これに、一般的な２ウェイや３ウェイのスピーカユニットを取り付けた場合、高域用スピーカユニットは、楕円形の長端である幅狭部分に配設されることになる。このため、高域用スピーカユニットでは、音の広がりが良好となり、システム全体として良好な指向感度特性（指向周波数特性）を得ることができる。なお、高さ１ｍ程度の床置き縦長の形態では、バッフル板は、標準聴取位置との関係で幾分上向きとなることは、いうまでもない。
【００１０】
これらの場合、少なくともバッフル板の前部は、継ぎ目の無い単板および合板のいずれかで構成されていることが、好ましい。
【００１１】
バッフル板に継ぎ目があるとバッフル板の剛性が低くなり、共振等の問題が発生するが、継ぎ目の無い板材を用いることにより、共振等による音の乱れを有効に防止することができる。
【００１２】
これらの場合、ユニット配設面は、バッフル板の前面を研削して形成されていることが、好ましい。
【００１３】
２次元曲面となるユニット配設面は、バッフル板を単に折り曲げることにより比較的簡単に形成できるが（３次元曲面は難しい）、折り曲げるとバッフル板の裏面もこれに倣って２次元曲面となってしまい、位相反転形のスピーカエンクロージャ等を構成しようとする場合、好ましくない。なお、スピーカエンクロージャの裏板は、バッフル板（の裏面）と平行に形成することが、好ましい。
【００１４】
本発明のスピーカシステムは、上記したスピーカエンクロージャと、スピーカ取付け面に取り付けた１以上のスピーカユニットと、を備えたことを特徴とする。
【００１５】
この構成によれば、音響波の回析現象を有効に防止することができるため、スピーカユニットから放射された音響波の波面が乱れることがなく、高品位再生を達成することができる。
【００１６】
この場合、帯域の異なる複数のスピーカユニットを備えることが、好ましい。
【００１７】
この構成によれば、複数のスピーカユニットと上記のスピーカエンクロージャとの協働により、より一層の高品位再生を達成することができる。
【００１８】
また、ユニット配設面は、バッフル板の前面を研削して形成されており、ユニット配設面には、ダクトの開口部およびパッシブラジエタのいずれかが、さらに設けられていることが、好ましい。
【００１９】
この構成によれば、低音域における高品位再生を実現することができると共に、ダクトおよびパッシブラジエタは、楕円形のユニット配設面の長端である幅狭部分、言い換えればバッフル板の厚肉部分に配設されることになる。このため、特にダクトにあっては、実ダクト長を維持しつつダクトのバッフル板以外の部分を短くすることができる。
【００２０】
さらに、複数のスピーカユニットを備え、スピーカエンクロージャは、スピーカユニット毎に独立した複数の分割エンクロージャで構成することができる。
【００２１】
この構成によれば、高品位再生を維持しつつ、スピーカエンクロージャを分割可能とすることで、運搬性や設置の自由度を高めることができる。
【００２２】
本発明の多チャンネルステレオシステムは、上記したスピーカシステムの複数個を、仮想円または仮想球面にユニット配設面が合致するように且つ標準聴取位置を囲むように、それぞれ配置したことを特徴とする。
【００２３】
この構成によれば、標準聴取位置において、これを囲む各スピーカユニットからの距離が同一となる。このため、複数のスピーカユニットからの再生音の到達時間に差が生ずることがなく、システムとして位相周波数特性を向上させることができる。
【発明を実施するための最良の形態】
【００２４】
以下、添付図面を参照して、本発明の一実施形態に係るスピーカエンクロージャ（以下、「エンクロージャ」という。）を適用したスピーカシステムおよび多チャンネルステレオシステムについて説明する。図１は実施形態に係るスピーカシステムの模式図であり、図２はスピーカシステムの外観斜視図である。両図に示すように、このスピーカシステム１Ａは、縦長に形成したラウンドバッフルタイプのエンクロージャ２と、エンクロージャ２を支持するロースタンド３と、エンクロージャ２に組み込んだ高域用スピーカユニット４、中域用スピーカユニット５および低域用スピーカユニット６と、で構成されている。ロースタンド３は、エンクロージャ２が着座するスタンドベース１１と、スタンドベース１１から四方に延びる４本の脚部１２とからなり、各脚部１２にはアジャストボルト１３が組み込まれている。なお、本実施形態において、「前面」もしくは「前方」といった場合、聴取位置（標準聴取位置）に正対する面もしくは方向を指し、「後方」といった場合は、その逆を指すものとする。
【００２５】
エンクロージャ２は、いずれもＭＤＦ（Medium Density Fiberboard）を主材とする、バッフル板２１、両側板２２，２２、天板２３、底板２４および裏板２５からなり、縦長に且つ曲面を強調すべく断面略紡錘形状（厳密には、天板２３および底板２４に平行な断面形状が略紡錘形状）に形成されている。バッフル板２１は、聴取位置（標準聴取位置）Ｐに向くように、すなわち天板２３が底板２４に対して後方に位置するように幾分上向き斜めに配設され、また裏板２５は、バッフル板２１に平行になるように斜めに傾けて配設されている。一方、床置きのエンクロージャ２を構成すべく、底板２４は水平に、天板２３は床板２４に平行に配設されている。これにより、詳細は後述するが、各スピーカユニット４，５，６と聴取位置Ｐとの距離が等しくなるように、且つシステム全体の重心位置が後方に移動して略前後中間位置にくるようにしている（図１参照）。なお、本実施形態のエンクロージャ２は、高さ１２００ｍｍに設計されている。
【００２６】
図２ないし図４に示すように、天板２３は、エンクロージャ２の断面形状に倣って略紡錘形状に形成され、上側から、仕上げ材としての突板３１、これと同形の天板本体３２およびエンクロージャ２の内周面と相補的形状を為す天板補強枠３３と、を積層して構成されている。同様に、底板２４は略紡錘形状に形成され、下側から、下面を化粧仕上げ（突板）とした底板本体３５およびエンクロージャ２の内周面と相補的形状を為す底板補強枠３６と、を積層して構成されている。各側板２２は、外表面を化粧仕上げ（突板）とすると共に、上記の紡錘形状に倣って短辺方向を内側に湾曲させ且つ全体が略方形（平行四辺形）に形成されている。裏板２５は、弓形断面を有し外表面を化粧仕上げ（突板に漆塗装）とした裏板本体３８と、裏板本体３８の内側に積層した裏板補強板３９と、で構成されている。この場合、裏板本体３８には、両側板２２，２２の後端が突き当てられ、この両側板２２，２２の後端部間に裏板補強板３９が配設されている。また、裏板２５の下部には、ターミナル取付け部４０が窪入形成されている（図３（ｃ）参照）。
【００２７】
バッフル板２１は、各スピーカユニット４，５，６が取り付けられる漆仕上げの主バッフル板４２と、主バッフル４２の裏面に積層した副バッフル板４３と、で構成されている。そして、詳細は後述するが、バッフル板（主バッフル板４２）２１の前面には、円弧状に窪入形成したユニット配設面２７が形成されており、ユニット配設面２７には、上側から高域用スピーカユニット４が取り付けられる第１ユニット開口４５、中域用スピーカユニット５が取り付けられる第２ユニット開口４６、低域用スピーカユニット６が取り付けられる第３ユニット開口４７およびダクト２８が構成されたダクト開口４８が、それぞれ形成されている（図３（ｂ）および（ｃ）参照）。
【００２８】
一方、エンクロージャ２の内部において、第１ユニット開口４５に連なる上部空間５１には、天板２３から垂下した前向き「Ｖ」字状の縦隔板５２と、第１ユニット開口４５と第２ユニット開口４６との境界部分から後方に延びる横隔板５３と、が配設されており、これにより高域用スピーカユニット４用のチャンバー（空気室）５４が構成されている。横隔板５３の下側には、エンクロージャ２の内周面に対し相補的形状に形成された第１補強枠５６が設けられている。また、第２ユニット開口４６と第３ユニット開口４７との境界部分には、エンクロージャ２の内周面に対し相補的形状に形成された第２補強枠５７が設けられている。同様に、第３ユニット開口４７とダクト開口４８との境界部分には、エンクロージャ２の内周面に対し相補的形状に形成された第３補強枠５８が設けられている。さらに、第１補強枠５６と第２補強枠５７との間、および第２補強枠５７と第３補強枠５８との間には、両側板２２，２２の後部に内貼りするように一対の内貼り補強材５９，５９が、それぞれ設けられている。
【００２９】
一方、エンクロージャ２の下部空間６１には、ダクト開口４８に連なる筒状のダクト材６２が設けられている。ダクト材６２は、主バッフル板４２の裏面に直接固着されており、ダクト開口４８と共に上記のダクト（音響ポート）２８を構成している。詳細は後述するが、主バッフル板４２におけるダクト開口４８の形成部分は厚肉に形成されており、その分、ダクト材６２は短く形成されている。このため、ダクト材６２を主バッフル板４２に直接固着することと相俟って、ダクト２８を、そのダクト長に比して強固に形成することができる。
【００３０】
次に、バッフル板２１およびこれに形成したユニット配設面２７について、詳細に説明する。図１に示すように、主バッフル板（バッフル板２１）４２の前面には、聴取位置Ｐを中心とする仮想円Ｒに倣った縦断面円弧状のユニット配設面２７が、形成されている。ユニット配設面２７は、主バッフル板４２の前面を掘り込むように研削して形成されており、ラウンドバッフルにおける上面視凸となる曲面と、仮想円Ｒに倣った凹となる曲面の合成により、正面（前面）から見て略楕円形に形成されている。
【００３１】
また、ユニット配設面２７は、上記の第１ユニット開口４５、第２ユニット開口４６、第３ユニット開口４７およびダクト開口４８を包含するように、主バッフル板４２の前面全域に達する大きさを有している。これにより、高域用スピーカユニット４が組み込まれる第１ユニット開口４５とダクト開口４８とが、それぞれ楕円形の上下長端部に配置されることとなる。そして、高域用スピーカユニット４が、楕円形の長端である幅狭部分に配設されることにより、高域用スピーカユニット４における音の広がりが促進され、システム全体として良好な指向感度特性を得ることが可能となる。また、ダクト開口４８が主バッフル板４２の厚肉部分に配設されるため、上記したようにダクト２８の剛性を高めることができる。なお、ダクト２８に代えて、パッシブラジエタ等を設けて、位相反転形のエンクロージャ２を構成するようにしてもよい。
【００３２】
以上のように、本実施形態において、エンクロージャ２のユニット配設面２７が、聴取位置Ｐを中心とする仮想円Ｒに倣った縦断面円弧状に形成されているため、図５に示すように、ユニット配設面２７に段差や角度変化が生ずることがなく、バッフル板２１による音響波の回析を有効に防止することができる。したがって、各スピーカユニット４，５，６から放射された音響波の波面が乱れることがなく、高品位再生を達成することができる。また、各スピーカユニット４，５，６と聴取位置Ｐとの距離が等しくなるため、各スピーカユニット４，５，６からの再生音の到達時間に差が生ずることがなく、位相周波数特性を向上させることができる。なお、本実施形態の聴取位置Ｐは、聴取するユーザの耳の位置であり、各スピーカユニット４，５，６の発音源位置から距離が３．０ｍであって床からの高さが１．０ｍに設定されている。
【００３３】
なお、本実施形態のユニット配設面２７は、聴取位置Ｐを中心とする仮想円Ｒ（聴取位置Ｐとユニット配設面２７の左右中心とを通る平面内に描かれた聴取位置Ｐを中心とする円）に倣った縦断面円弧状に形成されているが、聴取位置Ｐを中心とする仮想球（球Ｒ）に倣った部分球面状に形成するようにしてもよい（図１参照）。また、本実施形態のエンクロージャ２は、ＭＤＦを主体とする木質材で構成しているが、挽板、ベニアコア合板、パーティクルボード、ランバーコア合板、集成材等或いはこれらの組み合わせで構成することは元より、樹脂材（成形品）で構成するようにしてもよい。なお、以下の他の実施形態でも同様である。
【００３４】
次に、図６を参照して、本発明の第２実施形態に係るスピーカシステム１Ｂについて説明する。このスピーカシステム１Ｂでは、縦置きのエンクロージャ２Ｂがスピーカユニットの単位で分割されている。すなわち、高域用スピーカユニット４は上部エンクロージャ７１に組み込まれ、中域用スピーカユニット５は中間部エンクロージャ７２に組み込まれ、低域用スピーカユニット６は下部エンクロージャ７３に組み込まれている。上部エンクロージャ７１は、バッフル板２１ａ、両側板２２ａ、天板２３ａ、底板２４ａおよび裏板２５ａを有し、バッフル板２１ａには、聴取位置Ｐを中心とする仮想円Ｒに倣った縦断面円弧状のユニット配設面２７ａが形成されている。同様に、中間部エンクロージャ７２も、バッフル板２１ｂ、両側板２２ｂ、天板２３ｂ、底板２４ｂおよび裏板２５ｂを有し、バッフル板２１ｂには、縦断面円弧状のユニット配設面２７ｂが形成されている。同様に、下部エンクロージャ７３も、バッフル板２１ｃ、両側板２２ｃ、天板２３ｃ、底板２４ｃおよび裏板２５ｃを有し、バッフル板２１ｃには、縦断面円弧状のユニット配設面２７ｃが形成されている。但し、各エンクロージャ７１，７２，７３の天板２３ａ，２３ｂ，２３ｃおよび底板２４ａ，２４ｂ，２４ｃは水平に配設され、裏板２４ａ，２４ｂ，２４ｃは鉛直に配設されている。
【００３５】
そして、これら上部エンクロージャ７１、中間部エンクロージャ７２および下部エンクロージャ７３を段積みするように重ねた状態では、各エンクロージャ（分割エンクロージャ）７１，７２，７３のユニット配設面２７ａ，２７ｂ，２７ｃは、面一となって２次元曲面を構成すると共に、裏板２４ａ，２４ｂ，２４ｃも面一となるように構成されている。すなわち、第２実施形態のエンクロージャ２Ｂ（７１，７２，７３）は、第１実施形態のエンクロージャ２をスピーカユニット４，５，６単位で分割した基本形態となっている。なお、各エンクロージャ７１，７２，７３の幅は、同一に形成してもよいし、上から下に向かって幅広になるように形成してもよい。
【００３６】
このような構成では、スピーカシステム１Ｂが３つの分割システム（分割エンクロージャ）で構成されているため、全体が大型化しても個々に運搬が可能となるため取り扱いが容易になる。しかも、適切に設置（段積み）した状態では、各分割システムにおける各ユニット配設面２７ａ，２７ｂ，２７ｃが、段差等の無い一体の２次元曲面（３次元曲面）を構成することになるため、音響波の回析等を排除して高品位再生を達成することができる。
【００３７】
次に、図７を参照して、本発明の第３実施形態に係るスピーカシステム１Ｃについて説明する。このスピーカシステム１Ｃでは、横置きのエンクロージャ２Ｃをスピーカユニットの単位で分割した形態となっている。すなわち、左スピーカユニット８１は左部エンクロージャ９１に組み込まれ、センタースピーカユニット８２は中間部エンクロージャ９２に組み込まれ、右スピーカユニット８３は右部エンクロージャ９３に組み込まれている。左部エンクロージャ９１および右部エンクロージャ９３は、バッフル板２１ｄ、両側板２２ｄ、天板２３ｄ、底板２４ｄおよび裏板２５ｄをそれぞれ有し、各バッフル板２１ｄには、聴取位置Ｐを中心とする仮想円Ｒに倣った横断面円弧状のユニット配設面２７ｄが形成されている。同様に、中間部エンクロージャ９２も、バッフル板２１ｅ、両側板２２ｅ、天板２３ｅ、底板２４ｅおよび裏板２５ｅを有し、バッフル板２１ｅには、横断面円弧状のユニット配設面２７ｅが形成されている。
【００３８】
そして、これら左部エンクロージャ９１、中間部エンクロージャ９２および右部エンクロージャ９３を横並びに配置した状態では、各エンクロージャ（分割エンクロージャ）９１，９２，９３のユニット配設面２７ｄ，２７ｅ，２７ｄは、面一となって２次元曲面を構成すると共に、裏板２５ｄ，２５ｅ，２５ｄも面一となるように構成されている。なお、各エンクロージャ９１，９２，９３のユニット配設面２７ｄ，２７ｅ，２７ｄが２次元曲面となるため、左部エンクロージャ９１と右部エンクロージャ９３とは、左右反転した形状となる。
【００３９】
このような構成では、スピーカシステム１Ｃが横並びの３つの分割システム（分割エンクロージャ）で構成されているため、全体が大型化しても個々に運搬が可能となるため取り扱いが容易になる。また、適切に設置（横並び）した状態では、各分割システムにおける各ユニット配設面２７ｄ，２７ｅ，２７ｄが、段差等の無い一体の２次元曲面（３次元曲面）を構成するため、音響波の回析等を排除して高品位再生を達成することができる。しかも、各ユニット配設面２７ｄ，２７ｅ，２７ｄが上記の仮想円（仮想球）に倣って配置される限りにおいて、これら各エンクロージャ（分割システム）９１，９２，９３を側方に相互に離して設置することも可能である。
【００４０】
次に、図８を参照して、上記実施形態のスピーカシステムを適用した多チャンネルステレオシステム１００、さらにはホームシアタについて説明する。この多チャンネルステレオシステム１００は、例えば、聴取位置Ｐの左前方、右前方、左後方および右後方に、第１実施形態のスピーカシステム１Ａをそれぞれ配置すると共に、前方正面に第３実施形態のスピーカシステム１Ｃを配置して、構成されている。この場合、各スピーカシステムにおける全てのエンクロージャ２（２ｃ）のユニット配設面２７が、聴取位置Ｐを中心とする共通の仮想球（球Ｒ）に倣って、縦横の断面円弧状或いは部分球面状に形成し、聴取位置Ｐに対し等距離となるように配置している。また、第３実施形態のスピーカシステムは、低音域の広がりを考慮した低域用のもの（センターシステムのみでもよい）としている。すなわち、全体として５（４．１）チャンネルのステレオシステムが構築されている。このような構成では、聴取位置Ｐにおいて臨場感に富む再生音を得ることができる。
【００４１】
更に、同図に示すように、第３実施形態のスピーカシステム１Ｃの上方に、テレビジョンやプロジェンタ等の大画面のディスプレイ（ハイビジョン）Ｄを配置することが、好ましい。このような構成では、映画館や劇場に匹敵する臨場感、すなわち次世代のホームシアタを構成することができる。
【００４２】
なお、本実施形態では、ラウンドバッフルタイプのエンクロージャについて説明したが、本発明は、バッフル板を備えた各種の非密閉形、密閉形、バスレフ形等のエンクロージャにも適用可能である。
【図面の簡単な説明】
【００４３】
【図１】実施形態に係るスピーカシステムの模式図である。
【図２】実施形態に係るスピーカシステムの外観斜視図である。
【図３】スピーカシステムのエンクロージャにおける、平面図（ａ）、正面図（ｂ）、縦断面図（ｃ）である。
【図４】図３（ｃ）における、Ａ−Ａ線断面図（ａ）、Ｂ−Ｂ線断面図（ｂ）、Ｃ−Ｃ線断面図（ｃ）、Ｄ−Ｄ線断面図（ｄ）である。
【図５】エンクロージャの前面における音響波の状態を、従来技術（ａ）と比較して示す断面図（ａ）である。
【図６】第２実施形態に係るスピーカシステムの模式図である。
【図７】第３実施形態に係るスピーカシステムの模式図である。
【図８】実施形態に係る多チャンネルステレオシステムの平面図である。
【符号の説明】
【００４４】
１Ａ  スピーカシステム                １Ｂ  スピーカシステム
１Ｃ  スピーカシステム                  ２  エンクロージャ
４  高域用スピーカユニット            ５  中域用スピーカユニット
６  低域用スピーカユニット          ２１  バッフル板
２２  側板                            ２３  天板
２４  底板                            ２５  裏板
２７  ユニット配設面                  ２８  ダクト
６２  ダクト材                        ７１  上部エンクロージャ
７２  中間部エンクロージャ            ７３  下部エンクロージャ
８１  左スピーカユニット              ８２  センタースピーカユニット
８３  右スピーカユニット              ９１  左部エンクロージャ
９２  中間部エンクロージャ            ９３  右部エンクロージャ
１００  多チャンネルステレオシステム      Ｐ  聴取位置
Ｒ  仮想円                          球Ｒ  仮想球
【図１】
2008118166.tif 000003
【図２】
2008118166.tif 000004
【図３】
2008118166.tif 000005
【図４】
2008118166.tif 000006
【図５】
2008118166.tif 000007
【図６】
2008118166.tif 000008
【図７】
2008118166.tif 000009
【図８】
2008118166.tif 000010